(57)【要約】      （修正有）【課題】透明または半透明の容器本体の壁面に、格調高くて美しい外観をもたらすことのできる透明状容器を提供する。【解決手段】透明状容器１は、透明または半透明の容器本体２の外壁面２Ｃに、漆材製の図柄１１が塗着されている。そして、乾燥した生花Ｆが容器本体２内に収容されるとともに、容器本体２の開口部２Ａが蓋体３により蓋止され接着剤４で密閉状に封止されている。花支持台５は、シリカゲル１０を収容する支持容器６と、支持容器６の外周面に巻かれた装飾布８と、支持容器６の上面開口に装着された蓋部材７と、から構成されている。花支持台５は支持容器６の下面がガラス用の接着剤９で容器本体２の底面に接着されている。【選択図】図２
0003206434.tif 000002
【実用新案登録請求の範囲】
【請求項１】
透明または半透明の容器本体の壁面に、漆材製の図柄が塗着されていることを特徴とする透明状容器。
【請求項２】
乾燥した生花が容器本体内に収容されるとともに、容器本体の開口部が蓋体により密閉状に封止されていることを特徴とする請求項１に記載の透明状容器。
【請求項３】
図柄が容器本体の内壁面に付着されている請求項１または請求項２に記載の透明状容器。
【考案の詳細な説明】
【技術分野】
【０００１】
本考案は、透明または半透明の容器本体の壁面に図柄が塗着されている透明状容器に関するものである。
【背景技術】
【０００２】
従来、切り花をシリカゲルと共に瓶内に入れ蓋体で密封することにより乾燥生花を得るようにした飾り付け用具が、例えば下記の特許文献１に開示されている。この飾り付け用具の瓶は、瓶内の乾燥生花を鑑賞するために透明ないし半透明なガラスで構成されている。前記のようないわゆるシリカゲル強制乾燥法により得られた乾燥生花は、乾燥により鮮やかさが低下してシワシワになる従来一般のドライフラワーと比べると、生きていたときと同じ花本来の持つ鮮やかな色彩と形を半永久的に持ち続け得るものとして知られている。
【先行技術文献】
【特許文献】
【０００３】
【特許文献１】登録実用新案第３０７４２７３号公報
【考案の概要】
【考案が解決しようとする課題】
【０００４】
ところで、上記した従来の飾り付け用具は、瓶内の美しい乾燥生花を外部から鑑賞できるが、瓶の壁面には何も描かれていないので、美的に物足りなさがある。また、瓶内の底に収容されている多量のシリカゲルも外部から見えてしまうので、味気無さが残るという不具合もあった。
【０００５】
本考案は、上記した従来の問題点に鑑みてなされたものであって、透明または半透明の容器本体の壁面に、格調高くて美しい外観をもたらすことのできる透明状容器の提供を目的とする。
【課題を解決するための手段】
【０００６】
上記目的を達成するために、本考案に係る透明状容器は、透明または半透明の容器本体の壁面に、漆材製の図柄が塗着されていることを特徴とする構成にしてある。
【０００７】
また、前記構成において、乾燥した生花が容器本体内に収容されるとともに、容器本体の開口部が蓋体により密閉状に封止されているものである。
【０００８】
そして、前記した各構成において、図柄が容器本体の内壁面に付着されているものである。
【考案の効果】
【０００９】
本考案に係る透明状容器によれば、透明または半透明の容器本体の壁面に漆材製の図柄が塗着されているので、塗着された図柄は、漆器特有の格別の光沢、色艶、高堅牢度、および高接着性を呈する。これにより、容器本体の壁面に、格調高くて美しい外観をもたらすことができる。しかも、図柄の面積を大きくすれば、容器本体内の不具合部位を覆い隠して美観を高めることもできる。
【００１０】
また、乾燥した生花が容器本体内に収容されるとともに、容器本体の開口部が蓋体により密閉状に封止されているものでは、乾燥生花をボトル内に封入した、いわゆるボトルフラワーの容器本体の壁面を、漆材製の図柄で長期間格調高く安定して装飾することができる。
【００１１】
そして、図柄が容器本体の内壁面に塗着されているものでは、外部の物体が図柄に当接することはないので、外部からの当接なくして図柄は、形状や材質がそのまま長期間安定に保持することができる。
【図面の簡単な説明】
【００１２】
【図１】本考案の一実施例に係る透明状容器の正面図である。
【図２】前記透明状容器の縦断面図である。
【図３】前記透明状容器の底面図である。
【図４】本考案の別の実施例に係る透明状容器の斜視図である。
【図５】本考案の他の実施例に係る透明状容器の縦断面図である。
【図６】本考案の更に他実施例に係る透明状容器の斜視図である。
【考案を実施するための形態】
【００１３】
本考案の実施形態を説明する。尚、以下に述べる実施形態は本考案を具体化した一例に過ぎず、本考案の技術的範囲を限定するものでない。要するに、この実施形態の透明状容器は、容器本体の壁面に漆材製の図柄が塗着されているものである。
前記の容器本体はその壁体が透明または半透明の素材で構成される。そのような素材としては、例えば透明ガラス、擦りガラス、透光性プラスチック（アクリル樹脂、メタクリル樹脂、スチレン樹脂など）が挙げられ、これらは無色のものでも着色したものでも構わない。そして、乾燥生花を内装する容器本体の場合は、乾燥生花と、この乾燥生花を容器内で支持するための花支持台とを装入可能な開口部を有していて、その開口部が蓋体で密封状に蓋止されるようになっている。
【００１４】
容器本体の外壁面または内壁面に塗着された図柄は、漆材で構成されている。かかる漆材として全てが天然漆で構成されたものは、ガラス表面との密着性および耐久性が高くないから好ましくない。かかる漆材としては、被塗着物が透明または半透明で比較的平滑な壁面であることから、壁面に対する接着力の高いものが使用される。すなわち、天然漆を少しでも含有した塗料は、塗布乾燥後の光輝な色艶、高い硬度および高耐久性が幾分かでも得られる。
【００１５】
本実施形態に係る漆材は、天然漆と、ガラス親和性化合物と、バインダ合成樹脂と、着色剤と、有機溶剤と、塗料添加剤と、を備えて構成されている。
前記の天然漆としては、漆の木、櫨の木などから採取した樹液にナヤシ処理およびクロメ処理を施して得られた汎用のものを用いることができる。
前記のガラス親和性化合物としては、ガラス表面および有機物である天然漆のいずれに対しても親和性が高い有機ケイ素化合物が挙げられる。かかる有機ケイ素化合物は、分子内にポリシロキサン骨格を有する例えばシリコンオイルやシリコンワニスなどである。
前記のバインダ合成樹脂は天然漆およびガラス親和性化合物を安定に結び付けて硬い塗膜を形成させるものであり、例えばセルロース類、ポリアミド類、ポリエステル類などが挙げられる。尚、上記のポリエステル類として、カシューナッツ殻油由来の塗料成分（ポリエステルポリオール）を用い、これとイソシアネートとを重合して得られたポリウレタン樹脂を、バインダ合成樹脂として用いてもよい。
【００１６】
前記の有機溶剤としては、例えばパラキシレン、トルエン、トリエチレングリコール、酢酸エチル、酢酸ブチルなどが挙げられる。前記の着色剤として、図柄の基層色が黒である場合、漆黒調を醸し出すための着色剤として、例えばアニリンブラックなどの染料や、合成鉄黒やカーボンブラックなどの顔料が挙げられる。尚、漆材の基層色としては黒色に限らず、例えば赤色、朱色、緑色、その他の色を用いることも可能である。前記の塗料添加剤としては、パラフィンワックスなどの乾燥助剤や、無機系充填剤などが挙げられる。
そして、前記のような漆材の塗膜を基層とし、その上に蒔絵を施すのもよい。この蒔絵は、金粉などを手だけで蒔いてもよいし、予め原図が描かれているシルクスクリーンを用いて蒔いても構わない。蒔絵の図案は、美観の優れたものであれば特に限定されないが、例えば花鳥、風月、人物、風景その他を用いてよい。
【００１７】
漆材の構成材料の配合割合は、それぞれ漆材全体重量に対して、天然漆が５重量％〜３０重量％、ガラス親和性化合物が１０重量％〜２０重量％、バインダ合成樹脂が１０重量％〜３０重量％、着色剤が１重量％〜５重量％、有機溶剤が３０重量％〜５０重量％、塗料添加剤が１重量％〜４重量％である。有機溶剤の配合量は、塗装に適した漆材の粘度が粘度計フォードカップＮＫ−２の測定値で１７〜２３秒程度となるように適宜決められる。
【００１８】
前記の漆材を用いた手塗りなどの塗布条件は、湿度４０％以下、常温、微小加圧下にした塗装作業室内で、容器本体の被塗装面にジェットエアーを噴きつけて清浄化し、清浄化された被塗装面に漆材を漆筆につけて手塗りされる。所定の図柄が描かれたのち、必要であれば蒔絵が施される。その後、図柄手塗り後の容器本体は約７０〜９０℃で３時間加熱乾燥に付される。そして、常温下で２４時間風乾されることにより、本実施形態の容器本体が仕上がるのである。
【００１９】
引き続いて、本考案の実施例を図面に基づいて説明する。図１は本考案の一実施例に係る透明状容器の正面図、図２は前記透明状容器の縦断面図、図３は前記透明状容器の底面図である。
各図において、この実施例に係る透明状容器１は、上面に開口部２Ａを有する有底球形状で透明なガラス製の容器本体２と、容器本体２内に格納されていて多数のシリカゲル１０，１０，１０，・・・を収容した花支持台５と、花支持台５に支持された乾燥生花Ｆ，Ｆ，Ｆ，・・・と、花支持台５や乾燥生花Ｆを装飾する装飾用リボン１２と、容器本体２の開口部２Ａを被って密閉状に蓋止する円板状で透明なガラス製の蓋体３と、容器本体２の外壁面２Ｃに塗着された図柄１１と、を備えて構成されている。前記の蓋体３は、容器本体２の開口部２Ａの周縁部にガラス用の接着剤４で密封状に封着されている。そして、容器本体２の下面２Ｂは、テーブル上などに置くために平面状に形成されている。また、図２中の符号２Ｄは容器本体２の内壁面を示している。
【００２０】
前記の花支持台５は、上面開口を持ち有底円筒状で通気性を有してシリカゲル１０を収容する支持容器６と、支持容器６の外周面に巻かれた装飾布８と、支持容器６の上面開口に装着された蓋部材７と、から構成されている。蓋部材７は乾燥生花Ｆを支持するために茎部ＦＡを差し込み可能な可塑性を有する素材で構成されている。この蓋部材７も通気可能な構成にしても構わない。このように構成された花支持台５は支持容器６の下面がガラス用の接着剤９で容器本体２の底面に接着されている。前記の接着剤４や接着剤９は、一方のガラス材または双方のガラス材を接着させるのに適したものであればよく、例えばシアノアクリレート系樹脂瞬間接着剤（ヘンケル社製）、塩化ビニル・ウレタン系樹脂接着剤（スリーエム社製）、エポキシ系樹脂（アラルダイト社製）などが挙げられる。
【００２１】
前記の図柄１１は漆材で構成されている。この実施例の漆材は光を通さない漆黒素材であり、その一部分に金粉、銀粉またはアルミニウム粉などが汎用の蒔絵技法により付着させた蒔絵部１３が形成されている。そして、前記の漆材は、容器本体２の外壁面２Ｃに漆筆などで手書きされて細線模様の図形として描かれる。この実施例に係る漆材は、例えば天然漆が１５重量、シリコンオイルが１０重量％、ポリエチレンテレフタレート樹脂が２５重量％、カーボンブラックが１．５重量％、酢酸エチルが４５重量％、パラフィンワックス１．５重量％、炭酸カルシウム２重量％を混合攪拌して得られた粘性液である。この粘性液の漆材を用いて手書きで図柄１１が描かれ、蒔絵部１３も施された後に、加熱乾燥および自然乾燥を経て容器本体２が仕上がった。そして、容器本体２内に花支持台５が収容されて接着剤９で固着され、乾燥生花Ｆおよび装飾用リボン１２が花支持台５に取り付けられた後、容器本体２の開口部２Ａが蓋体３で蓋止され接着剤４で封止されることにより、透明状容器１が完成した。
【００２２】
上記のように構成された透明状容器１によれば、乾燥生花Ｆは生きていたときと同じ花本来の鮮やかさと形状を半永久的に持ち続けることができる。そのうえ、透明ガラス製の容器本体２の外壁面２Ｃに漆材製の図柄１１が塗着されているので、塗着された図柄１１は、漆器特有の格別の光沢、色艶、高堅牢度、および高接着性を呈するとともに、ガラス親和性化合物であるシリコンオイルの作用によりガラス表面に強固に接着されている。これらにより、容器本体２の外壁面２Ｃに、格調高くて美しく堅固な外観をもたらすことができる。更に、図柄１１により容器本体２内の花支持台５などを覆い隠して美観を高めることも可能となる。このような透明状容器１はボトルフラワーとして、レストラン、結婚式場、講演会場などのテーブルなどの上に置いておくと、その場の雰囲気を魅惑的に引き立てる。
【００２３】
尚、上記実施例の透明状容器１では、図柄１１として細線模様の図形のものを例示したが、本考案はそれに限定されるものでない。例えば、図４に示す別実施例の透明状容器１ａのように、容器本体２の外壁面２Ｃに塗着された幅広模様の図柄１１ａを有するものも本考案に含まれる。図４中で、図１〜図３に示した透明状容器１と同一の構成要素には、同一の符号を付すとともにその詳細な説明を省略することがある。後述する図５、図６においても同様である。
このような幅広模様の図柄１１ａを有する透明状容器１ａでも、容器内の乾燥生花Ｆを美しく鑑賞できるし、漆材製の図柄１１ａも格調高い趣きを呈することができる。
【００２４】
あるいは、図５に示す他実施例の透明状容器１ｂは、図１〜図３の透明状容器１に近い構成を有しているが、次の点で構成が異なっている。すなわち、透明状容器１ｂの図柄１１ｂは、外から見て透明状容器１の図柄１１と殆ど同じ輪郭であるが、透明状容器１の図柄１１が容器本体２の外壁面２Ｃに漆材を塗着されているのに対し、透明状容器１ｂの図柄１１ｂは容器本体２の内壁面２Ｄに漆材を塗着されて形成されたものである。
これらの図柄１１，１１ｂは比較的堅固な漆材でできており少々の接触には耐える能力を有しているが、それでも強烈な打撃により脱落するおそれはある。しかしながら、前記のように、図柄１１ｂは内壁面２Ｄに塗着されているので、外部の物体が図柄１１ｂに当接することはない。これにより、図柄１１ｂは半永久的に塗着したままとなる。尚、図柄１１ｂは厚さ１〜２ｍｍ程度に肉盛されているので、内壁面２Ｄに描かれていてもかなりの立体感を呈するから、外部から見ても透明状容器１の外面の図柄１１と遜色はない。
【００２５】
そして、図６に示す更に他の実施例の透明状容器１ｃでは、上面に広い開口部２Ａａを有するガラスカップ状の容器本体２ａが用いられる。この容器本体２ａは、容器本体２のように容器内に乾燥生花Ｆなどが密封状に格納されるものでなく、ブーケや小さな生花、ポプリ、あるいは食品であるデザートなどをオープンに収容するものである。そして、容器本体２ａの外壁面２Ｃに漆材製の図柄１１ｃが塗着して形成されている。この透明状容器１ｃの図柄１１ｃは、ぼかされたいくつかの円形や、連なった複数の小円形といった図形で表されており、見た目に可愛らしい。
【００２６】
また、上記では、バインダ合成樹脂として、ポリエチレンテレフタレート樹脂を用いた例を示したが、これに替えて、例えばカシューナッツ殻油由来のカルダノール系ポリエステルポリオール誘導体と、イソシアネートプレポリマーとから得られたポリウレタン樹脂を、バインダ合成樹脂として用いることも可能である。これらによっても、漆調に輝く堅牢な図柄を得ることができる。そして、本考案の図柄には、図形のみならず、文字、数字、記号なども含まれるものとする。
【００２７】
尚、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００２８】
１，１ａ，１ｂ，１ｃ  透明状容器
２，２ａ  容器本体
２Ａ，２Ａａ  開口部
２Ｂ  下面
２Ｃ  外壁面
２Ｄ  内壁面
３  蓋体
４  接着剤
５  花支持台
６  支持容器
７  蓋部材
８  装飾布
９  接着剤
１０  シリカゲル
１１，１１ａ，１１ｂ，１１ｃ  図柄
１２  装飾用リボン
１３  蒔絵部
Ｆ  乾燥生花
ＦＡ  茎部
【図１】
0003206434.tif 000003
【図２】
0003206434.tif 000004
【図３】
0003206434.tif 000005
【図４】
0003206434.tif 000006
【図５】
0003206434.tif 000007
【図６】
0003206434.tif 000008